(57)【要約】      （修正有）【課題】フォトカップラを各種の用途に適用できるようにするとともに、高速動作，高寿命化，高信頼性化を図った入出力分離回路及び入出力分離回路の応用回路を提供する。【解決手段】入力側端子Ｔ１，Ｔ２間に交流電源４０を接続する。入力側端子Ｔ１がプラス，入力側端子Ｔ２がマイナスの正の半波では、発光素子２２が発光し、入力側端子Ｔ１がマイナス，入力側端子Ｔ２がプラスの負の半波では、発光素子３２が発光する。発光素子２２が発光すると、その光が受光素子２４に入射し、受光素子２４のコレクタ・エミッタ間が導通する。発光素子３２が発光すると、その光が受光素子３４に入射し、受光素子３４のコレクタ・エミッタ間が導通する。すなわち、入力側端子Ｔ１，Ｔ２に交流が印加されると、出力側端子ＴＥ，ＴＦ間が導通状態となる。【選択図】図１
0003198437.tif 000002
【実用新案登録請求の範囲】
【請求項１】
フォトカップラを利用して、入力側と出力側を分離する入出力分離回路であって、
２つのフォトカップラの各発光素子を入力側端子に接続するとともに、各受光素子を出力側端子に接続し、
前記各発光素子は、前記入力側端子に交流が印加されたときに交互に発光するように並列に接続されており、
前記各受光素子は、導通したときに流れる電流の方向が共通するように並列に接続されており、
前記入力側端子間に交流を印加したときに、前記出力側端子間が導通するようにしたことを特徴とする入出力分離回路。
【請求項２】
前記フォトカップラの並列回路に、電流制限用の抵抗を接続したことを特徴とする請求項１記載の入出力分離回路。
【請求項３】
前記電流制限用抵抗，前記入力側端子，前記出力側端子の少なくとも一つに、ノイズ低減用コンデンサを並列に接続したことを特徴とする請求項２記載の入出力分離回路。
【請求項４】
前記請求項１〜３のいずれか一項に記載の入出力分離回路の入力側に、検知対象と交流電源を接続し、前記検知対象が短絡して前記交流電源から前記入出力分離回路に交流が印加されたときに、前記入出力分離回路の出力側の導通状態から前記検知対象が短絡したことを検知することを特徴とする入出力分離回路の応用回路。
【請求項５】
前記請求項１〜３のいずれか一項に記載の入出力分離回路の入力側に、容器内に投入される長さが異なる２つの電極棒と交流電源を接続し、前記電極棒が導通して前記交流電源から前記入出力分離回路に交流が印加されたときに、前記入出力分離回路の出力側の導通状態から前記容器内の水位を検知することを特徴とする入出力分離回路の応用回路。
【請求項６】
前記入出力分離回路と前記電極棒を複数設け、複数のレベルもしくは複数の容器のいずれかについて水位を検知することを特徴とする請求項５記載の入出力分離回路の応用回路。
【請求項７】
前記請求項１〜３のいずれか一項に記載の入出力分離回路の入力側に交流電源を接続し、前記入出力分離回路の出力側に直流電源を接続することで、交流を直流に変換することを特徴とする入出力分離回路の応用回路。
【請求項８】
前記請求項１〜３のいずれか一項に記載の入出力分離回路の出力側に接続された機器を、該入出力分離回路の出力側端子よりも遠隔地に設置したことを特徴とする入出力分離回路の応用回路。
【請求項９】
電源から負荷に供給する電力を制御回路によって制御する場合に、前記制御回路の制御入力側に、前記請求項１〜３のいずれか一項に記載の入出力分離回路を設けたことを特徴とする入出力分離回路の応用回路。
【考案の詳細な説明】
【技術分野】
【０００１】
本考案は、フォトカップラを利用した各種の制御に好適な入出力分離回路及びその応用回路の改良に関するものである。
【背景技術】
【０００２】
フォトカップラは、例えば、下記特許文献１において指摘されているように、入力電気信号を光信号に変換する発光素子と、該光信号を受光して電気信号に変換して出力する受光素子とが一体となった信号伝達デバイスであり、入力側と出力側とを電気的に絶縁して信号のみを伝達することができるので、入力側と出力側との電気的絶縁が要求されるような場合に好適である。例えば、電極棒と水との電気的な接触を利用して水位を電気的に計測する水位計のような場合、入力側と出力側の絶縁分離をフォトカップラで行う例がある。
【先行技術文献】
【特許文献】
【０００３】
【特許文献１】特開平７−１２１２５０号公報
【考案の概要】
【考案が解決しようとする課題】
【０００４】
このようなフォトカップラを、上述した水位検出のみならず、短絡検出などの各種の用途に対応できれば好都合である。
【０００５】
本考案は、以上のような点に着目したもので、その目的は、フォトカップラを各種の用途に適用できるようにすることである。他の目的は、従来よりも高速動作，高寿命化，高信頼性化を図ることである。
【課題を解決するための手段】
【０００６】
本考案の入出力分離回路は、フォトカップラを利用して、入力側と出力側を分離する入出力分離回路であって、２つのフォトカップラの各発光素子を入力側端子に接続するとともに、各受光素子を出力側端子に接続し、前記各発光素子は、前記入力側端子に交流が印加されたときに交互に発光するように並列に接続されており、前記各受光素子は、導通したときに流れる電流の方向が共通するように並列に接続されており、前記入力側端子間に交流を印加したときに、前記出力側端子間が導通するようにしたことを特徴とする。
【０００７】
主要な形態の一つは、前記フォトカップラの並列回路に、電流制限用の抵抗を接続したことを特徴とする。他の形態の一つは、前記電流制限用抵抗，前記入力側端子，前記出力側端子の少なくとも一つに、ノイズ低減用コンデンサを並列に接続したことを特徴とする。
【０００８】
本考案の入出力分離回路の応用回路は、前記いずれかの入出力分離回路の入力側に、検知対象と交流電源を接続し、前記検知対象が短絡して前記交流電源から前記入出力分離回路に交流が印加されたときに、前記入出力分離回路の出力側の導通状態から前記検知対象が短絡したことを検知することを特徴とする。
【０００９】
主要な形態の一つは、前記いずれかの入出力分離回路の入力側に、容器内に投入される長さが異なる２つの電極棒と交流電源を接続し、前記電極棒が導通して前記交流電源から前記入出力分離回路に交流が印加されたときに、前記入出力分離回路の出力側の導通状態から前記容器内の水位を検知することを特徴とする。あるいは、前記入出力分離回路と前記電極棒を複数設け、複数のレベルもしくは複数の容器のいずれかについて水位を検知することを特徴とする。
【００１０】
他の形態の一つは、前記いずれかの入出力分離回路の入力側に交流電源を接続し、前記入出力分離回路の出力側に直流電源を接続することで、交流を直流に変換することを特徴とする。更に他の形態の一つは、前記いずれかの入出力分離回路の出力側に接続された機器を、該入出力分離回路の出力側端子よりも遠隔地に設置したことを特徴とする。
【００１１】
更に他の形態としては、電源から負荷に供給する電力を制御回路によって制御する場合に、前記制御回路の制御入力側に、前記いずれかの入出力分離回路を設けたことを特徴とする。本考案の前記及び他の目的，特徴，利点は、以下の詳細な説明及び添付図面から明瞭になろう。
【考案の効果】
【００１２】
本考案によれば、フォトカップラを逆並列に接続することで、入力側端子間に交流が印加されると出力側端子間が導通状態となるようにしたので、入力側と出力側が電気的に絶縁・分離され、高速動作，高寿命化，高信頼性化を図ることができる。
【図面の簡単な説明】
【００１３】
【図１】(A)は本考案の実施例１を示す回路図、(B)は基本動作を示す図、(C)は基本動作を示すタイムチャートである。
【図２】本考案の実施例２を示す回路図である。
【図３】(A)は本考案の実施例３を示す回路ブロック図、(B)は通報表示の一例を示す図である。
【図４】前記実施例３における電極棒の配置例を示す図である。
【図５】前記実施例３の具体的な回路構成を示す図である。
【図６】本考案の実施例４を示す回路ブロック図である。
【図７】本考案の実施例５を示す回路ブロック図である。
【考案を実施するための形態】
【００１４】
以下、本考案を実施するための最良の形態を、実施例に基づいて詳細に説明する。
【実施例１】
【００１５】
最初に、図１を参照しながら本考案の実施例１を説明する。最初に、図１(A)を参照しながら、本考案の最も基本的な構成である入出力分離回路について説明する。図１(A)において、入出力分離回路１０は、２つのフォトカップラ２０，３０を備えている。これらのフォトカップラ２０，３０は、発光素子（発光ダイオード）２２，３２が逆並列となるように接続されている。発光素子２２のアノード側と発光素子３２のカソード側は、入力側端子Ｔ１に接続されており、発光素子２２のカソード側と発光素子３２のアノード側は、電流制限抵抗１６を介して入力側端子Ｔ２に接続されている。電流制限抵抗１６には、必要に応じてノイズ低減コンデンサ１８Ａが並列に接続される。なお、入力側端子Ｔ１，Ｔ２間にノイズ低減コンデンサ１８Ｂを接続するようにしてもよい。以上の発光素子側を入力側という。
【００１６】
一方、各フォトカップラ２０，３０の受光素子（フォトトランジスタ）２４，３４は、エミッタ，コレクタが共通となるように接続されており、受光素子２４，３４のコレクタは出力側端子ＴＥに接続されており、受光素子２４，３４のエミッタは出力側端子ＴＦに接続されている。出力側端子ＴＥ，ＴＦ間にノイズ低減コンデンサ１８Ｃを接続するようにしてもよい。以上の受光素子側を出力側という。入力側と出力側は、フォトカップラ２０，３０によって光で接続されているものの、電気的には絶縁された構成となっている。
【００１７】
次に、本実施例の基本的な動作を説明する。図１(B)に示すように、入力側端子Ｔ１，Ｔ２間に交流電源４０を接続する。交流電源４０の出力としては、図１(C-1)に示すように正弦波でもよいし、パルス状の交流波形もよい。入力側端子Ｔ１がプラス，入力側端子Ｔ２がマイナスの正の半波では、同図(C-2)に示すように発光素子２２が発光し、入力側端子Ｔ１がマイナス，入力側端子Ｔ２がプラスの負の半波では、同図(C-3)に示すように発光素子２３が発光する。発光素子２２が発光すると、その光が受光素子２４に入射し、受光素子２４のコレクタ・エミッタ間が導通する。発光素子３２が発光すると、その光が受光素子３４に入射し、受光素子３４のコレクタ・エミッタ間が導通する。すなわち、出力側端子ＴＥ，ＴＦ間が導通状態となる。
【００１８】
このように、本実施例によれば、次のような効果がある。
ａ，入力側と出力側が電気的に分離されており、入力側に交流が流れると、出力側が導通状態となるため、これを利用して各種の検知動作や制御動作などに応用することができる。
ｂ，フォトカップラ２０，３０を使用しているため、応答速度が速い。また、無接点で長寿命である。
ｃ，論理素子との接続も容易である。
ｄ，回路構成が簡易・安価であり、小型で振動・衝撃に強く、故障要因も少なく信頼性が高い。
ｅ，入力側と出力側が完全に絶縁されているため、信号伝達は一方向であり、出力側が入力側に影響せず、I/Oインターフェース回路として理想的である。
ｆ，トランスジューサーとして好適であり、各種のセンサー類，制御機器などに対する信号伝達に適用可能である。
ｇ，入力側に交流が流れると出力側が導通するので、交流用センサーとしても機能する。
ｈ，トランジスタの出力がそのまま回路出力となっているため、各種のトランジスタ接続型の機器に接続可能である。例えば、ＰＬＣ（programmable logic controller）の入力側へのダイレクト接続，インバータの制御信号入力側への接続，小型ＤＣリレーの接続，電磁開閉器への接続など、各種の用途に好適である。
【実施例２】
【００１９】
次に、図２を参照しながら、本考案の実施例２について説明する。図２は、本考案を短絡センサー５０として適用した例である。まず、同図(A)の例は、短絡センサー５０の入出力分離回路１０の入力側端子Ｔ１，Ｔ２には、短絡の検知対象５２が接続されており、出力側端子ＴＥ，ＴＦには、通報回路５４が直列に接続されている。検知対象５２としては、例えば、溶接棒などが考えられる。通報回路５４は、出力側端子ＴＥ，ＴＦが導通したときに、発光，発音，発振などの適宜の通報動作を行うもので、例えば、発光ダイオード，ブザー，バイブレータと、それらの駆動電源とによって構成されている。出力側端子ＴＥ，ＴＦ間が導通すると、駆動電源によって発光ダイオード等が駆動されることで、通報が行われるようになっている。
【００２０】
全体の動作を説明すると、まず検知対象５２が短絡していないときは、入出力分離回路１０の発光素子２２，３２に対する交流電源４０からの通電が行われない。このため、発光素子２２，３２は発光せず、受光素子２４，３４も導通しない。従って、通報回路５４も動作しない。しかし、検知対象５２が短絡すると、交流電源４０により発光素子２２，３２に通電されて発光し、受光素子２４，３４が導通する。これが通報回路５４で検知されると、発光などが行われ、検知対象５２が短絡したことが通報される。
【００２１】
同図(B)の例は、検知対象５６を、出力側に接続した例である。この例では、入力側の検知対象５２が導通しても、出力側の検知対象５６が導通しない限り、通報回路５４は動作しない。すなわち、検知対象５２，５６の両方が導通したときに、通報回路５４による通報が行われる。この例は、各種の短絡の検知に応用することができる。
【実施例３】
【００２２】
次に、図３及び図４を参照しながら、本考案の実施例３について説明する。本実施例は、本考案を水位計に適用した例である。水位計６０の回路構成は、図３(A)に示すように、上述した入出力分離回路及び通報回路を４つ備えており、水位を５段階で検知できるようになっているが、個数は適宜増減してよい。
【００２３】
水位計６０は、図４(A)に示すように、容器６１内の水位を検知するもので、容器６１内に、電極棒６２，６４Ａ〜６４Ｄを備えている。これらのうち、電極棒６２は最も長く、電極棒６４Ａ〜６４Ｄは順に短くなっており、検知したい水位レベルの長さに設定されている。
【００２４】
図３(A)に示した入出力分離回路１０Ａ〜１０Ｄの入力側のうち、一方は共通に電極棒６２に接続されており、他方は電極棒６４Ａ〜６４Ｄにそれぞれ接続されている。また、通報回路５４Ａ〜５４Ｄは、例えば発光によって通報を行うようになっており、それらを並べた発光表示部５５は図３(B)に示すようになる。
【００２５】
次に、本実施例の動作を説明する。容器６１内の水位が徐々に上昇していく場合を想定すると、水位は最初に電極棒６２に接触し、次に電極棒６４Ａの先端に接触する。すると、電極棒６２，６４Ａ間が導通して入出力分離回路１０Ａの入力側が短絡されることになり、通報回路５４Ａによる通報が行われる。すると、発光表示部５５は、図３(B)の(B-1)に示す状態から(B-2)に示す状態となる。これにより、水位が電極棒６４Ａの先端に達したことを知ることができる。
【００２６】
更に水位が上昇し、電極棒６４Ｂの先端に接触すると、電極棒６２，６４Ｂ間が導通して入出力分離回路１０Ｂの入力側が短絡されることになり、通報回路５４Ｂによる通報が行われる。すると、発光表示部５５は、図３(B-2)に示す状態から(B-3)に示す状態となる。これにより、水位が電極棒６４Ｂの先端に達したことを知ることができる。同様にして、水位の上昇に伴い、通報回路５４Ｃ，５４Ｄによる通報が行われ、図３(B-3)に示す状態から(B-4)，更には(B-5)に示す状態へとなる。
【００２７】
このように、本実施例によれば、複数の入出力分離回路を使用することで、複数のレベルでの水位を検知することができる。また、その際に、入力側と出力側が電気的に分離されているので、水による出力側への悪影響を防ぐことができる。加えて、電極棒間に直流が流れると、電極棒６２，６４Ａ〜６４Ｄにおいて酸化・還元が生ずる恐れがあるが、本実施例によれば、交流電源４０から交流が流れるため、そのような不都合は生じない。
【００２８】
図５には、上述した水位計の回路設計例が示されている。この例では、入出力分離回路１０Ａ〜１０Ｄにおける入力側の交流電源４０が入力側端子Ｔ１に共通に設けられている。入出力分離回路１０Ａ〜１０Ｄの出力側端子ＴＦは共通となっており、出力側端子ＴＥとの間に接続された通報回路５４Ａ〜５４Ｄは、発光素子５４ＱＡ〜５４ＱＤに、直流電源５７，電流制限抵抗５４ＲＡ〜５４ＲＤをそれぞれ直列に接続した構成となっている。直流電源５７は、出力側端子ＴＦに共通に接続されている。
【００２９】
前記直流電源５７は、例えばバッテリなどで構成してもよいが、トランス５７Ａ，整流回路５７Ｂ，平滑コンデンサ５７Ｃ，電圧調整ボリューム５７Ｄによって交流から直流を生成するようにしてもよい。このようにすることで、入力側の交流電源４０とともに、商用電源に接続するのみで、水位計として動作させることができる。
【００３０】
本例によれば、電極棒６２と、電極棒６４Ａ〜６４Ｄが導通することで、発光素子５４ＱＡ〜５４ＱＤに電流が流れて発光する。発光素子５４ＱＡ〜５４ＱＤを並べて配置することで、図３(B)に示した発光表示が行われる。なお、水位が上昇する場合のみならず、漏水などで減少する場合（漏水検知）も同様である。
【００３１】
図４(B)は、上記実施例の変形例で、異なる容器６３Ａ〜６３Ｄの水位を検知するようにしたものである。各容器６３Ａ〜６３Ｄには、電極棒６２が共通に設けられており、電極棒６５Ａ〜６５Ｄがそれぞれ設置されている。電極棒６５Ａ〜６５Ｄの長さは、それぞれ容器６３Ａ〜６３Ｄにおける検知したい水位レベルに設定されている。すなわち、容器６３Ａ〜６３Ｄの検知レベルが同じときは、電極棒６５Ａ〜６５Ｄの長さは同じになる。例えば、容器６３Ａにおいて、水位が電極棒６５Ａの先端に達したとすると、電極棒６２と導通して入出力分離回路１０Ａの入力側が短絡されることになり、通報回路５４Ａによる通報が行われる。他の容器についても同様である。本例の場合、通報回路５４Ａ〜５４Ｄの点灯は、図３(B)に示したような順序になるとは限らず、ランダムとなることもある。
【実施例４】
【００３２】
次に、図６を参照しながら、本考案の実施例４について説明する。図６(A)は、入出力分離回路１０を、交流と直流の変換回路７０として使用する例である。交直変換回路７０の入出力分離回路１０の入力側には交流電源４０がスイッチ７２を介して設けられており、出力側には直流電源７４と負荷７６が接続されている。本実施例では、商用電源からトランス４０Ａを利用して交流電源４０とするとともに、トランス７４Ａ及び整流回路７４Ｂを利用して交流電源７４としている。
【００３３】
入出力分離回路１０の入力側のスイッチ７２をＯＮとすると、入出力分離回路１０の出力側が導通し、負荷７６に直流電源７４から直流が供給されるようになり、交直変換が行われる。このような交流・直流変換は、交流による直流機器の制御や過電流保護，直流メータの表示などに好適である。
【００３４】
図６(B)の例は、信号遠隔伝達回路８０として使用する例である。信号遠隔伝達回路８０は、入出力分離回路１０の出力側に接続する制御対象８４を、遠隔地に設置した例である。制御対象８４としては、スイッチ，リレー，無電圧接点などを含む各種の機器やセンサー類が適用可能である。入出力分離回路１０の入力側のスイッチ８２をＯＮとすると、出力側が導通し、電流出力型の制御信号が制御対象８４に出力されるようになる。電流制御型であることから、ノイズに強く、信号の遠隔伝達を行うことができる。
【実施例５】
【００３５】
次に、図７を参照しながら、本考案の実施例５について説明する。図７(A)は、入出力分離回路１０を電源回路９０に使用した例である。同図に示すように、電源回路９０は、交流電源９２の電力を、サイリスタ回路９４で制御して負荷９６に供給する回路である。サイリスタ回路９４は、サイリスタ９４Ａ，９４Ｂが逆並列となっており、交流電源９２の正負の半波にそれぞれ対応して導通する。交流電源９２，サイリスタ回路９４，負荷９６の直列回路には、分流抵抗９７が接続されている。分流抵抗９７の一端は切換スイッチ９９の一方の切換入力側に接続されており、他端は入出力分離回路１０の入力側端子Ｔ２に接続されている。切換スイッチ９９の他方の切換入力側には、前記サイリスタ回路９４の負荷側が接続されており、切換スイッチ９９の切換出力側が入出力分離回路１０の入力側端子Ｔ１に接続されている。入出力分離回路１０の出力側端子ＴＥ，ＴＦは、制御回路９８の入力側に接続されている。そして、この制御回路９８の制御出力側がサイリスタ回路９４のサイリスタ９４Ａ，９４Ｂのゲート端子に接続されている。
【００３６】
本実施例の動作を説明すると、交流電源９２の正の半波においては、制御回路９８の制御信号に基づいてサイリスタ９４Ａが導通し、負荷９６に電力が供給される。交流電源９２の負の半波においては、制御回路９８の制御信号に基づいてサイリスタ９４Ｂが導通し、負荷９６に電力が供給される。このとき、負荷９６に流れる電流は分流抵抗９７にも流れ、一部が分流されて入出力分離回路１０に供給される。
【００３７】
本実施例では、切換スイッチ９９の切り換えによって、電流制御・電圧制御が切り換えられる。電流制御の場合は、切換スイッチ９９が分流抵抗９７側に切り換えられ、負荷電流の変化が入出力分離回路１０に入力される。電圧制御の場合は、切換スイッチ９９がサイリスタ回路９４側に切り換えられ、負荷電圧の変化が入出力分離回路１０に入力される。負荷電流もしくは負荷電圧が変化すると、入出力分離回路１０のフォトカップラ２０，３０がＯＮとなる時間が変化するようになる。これが制御回路９８で検知されると、制御回路９８ではサイリスタ回路９４に出力する制御信号のタイミングを制御し、サイリスタ９４Ａ，９４Ｂの点弧角が制御される。これにより、負荷９６に対する負荷電流もしくは負荷電圧が所定値となるようにフィードバック制御が行われる。
【００３８】
ところで、この場合において、分流抵抗９７ないしサイリスタ回路９４の切換スイッチ９９と制御回路９８との間には、入出力分離回路１０が設けられている。このため、負荷９６に対する電力の供給と、制御回路９８による電力制御とが良好に分離されるようになる。
【００３９】
図７(B)には、直流電源１０２から負荷１０６に直流電力を供給する電源回路１００の例である。本実施例では、上述したサイリスタ回路９４の代わりにトランジスタ１０４が用いられる。分流抵抗１０７の一端は切換スイッチ１０９の一方の切換入力側に接続されており、他端は入出力分離回路１０の入力側端子Ｔ２に接続されている。切換スイッチ１０９の他方の切換入力側には、前記トランジスタ１０４のエミッタ側が接続されており、切換スイッチ１０９の切換出力側が入出力分離回路１０の入力側端子Ｔ１に接続されている。入出力分離回路１０の出力側端子ＴＥ，ＴＦは、制御回路１０８の入力側に接続されている。そして、この制御回路１０８の制御出力側がトランジスタ１０４のベースに接続されている。本実施例では入出力分離回路１０は、入力側端子Ｔ１が正であることからフォトカップラ２０のみが動作し、フォトカップラ３０は動作しない。従って、フォトカップラ３０を省いてもよい。
【００４０】
本実施例では、切換スイッチ１０９の切り換えによって、電流制御・電圧制御が切り換えられる。電流制御の場合は、切換スイッチ１０９が分流抵抗１０７側に切り換えられ、負荷電流の変化が入出力分離回路１０に入力される。電圧制御の場合は、切換スイッチ１０９がトランジスタ１０４側に切り換えられ、負荷電圧の変化が入出力分離回路１０に入力される。負荷電流もしくは負荷電圧が変化すると、入出力分離回路１０のフォトカップラ２０がＯＮもしくはＯＦＦとなる。これが制御回路１０８で検知されると、制御回路１０８ではトランジスタ１０４に出力する制御信号のタイミングを制御し、トランジスタ１０４が導通するタイミングが制御される。これにより、負荷１０６に対する負荷電流もしくは負荷電圧が所定値となるようにフィードバック制御が行われる。本実施例にいても、切換スイッチ１０９と制御回路１０８との間には、入出力分離回路１０が設けられている。このため、負荷１０６に対する電力の供給と、制御回路１０８による電力制御とが良好に分離されるようになる。
【００４１】
なお、本考案は、上述した実施例に限定されるものではなく、本考案の要旨を逸脱しない範囲内において種々変更を加えることができる。例えば、以下のものも含まれる。
(1)前記実施例では、受光素子２４，３４としてＮＰＮ型トランジスタを使用しており、それらのコレクタ・エミッタが出力側端子ＴＥ，ＴＦとなっている。このため、ＮＰＮトランジスタ接続型機器がいずれも接続可能である。しかし、受光素子２４，３４としてＰＮＰ型トランジスタを使用してもよく、その場合はＰＮＰトランジスタ接続型機器がいずれも接続可能である。受光素子２４，３４は、導通したときに電流が流れる方向が共通するように接続すればよい。
(2)前記実施例で示した適用例に限らず、各種の機器に対して適用してよい。
(3)前記実施例５では、負荷に対する供給電力のフィードバック制御を行ったが、過電流や過電圧が発生したときに、それを制御回路９８，１０８で遮断する過電流（過電圧）保護回路として使用するようにしてもよい。
【産業上の利用可能性】
【００４２】
本考案によれば、フォトカップラを逆並列に接続することで、入力側端子間に交流が印加されると出力側端子間が導通状態となるようにしたので、入力側と出力側が電気的に絶縁・分離され、高速動作，高寿命化，高信頼性化を図ることができ、入出力分離回路やその応用回路に好適である。
【符号の説明】
【００４３】
１０，１０Ａ〜１０Ｄ：入出力分離回路
１６：電流制限抵抗
１８Ａ〜１８Ｃ：ノイズ低減コンデンサ
２０，３０：フォトカップラ
２２，３２：発光素子
２４，３４：受光素子
４０：交流電源
４０Ａ：トランス
５０：短絡センサー
５２，５６：検知対象
５４，５４Ａ〜５４Ｄ：通報回路
５４ＱＡ〜５４ＱＤ：発光素子
５４ＲＡ〜５４ＲＤ：電流制限抵抗
５５：発光表示部
５６：検知対象
５７：直流電源
５７Ａ：トランス
５７Ｂ：整流回路
５７Ｃ：平滑コンデンサ
５７Ｄ：電圧調整ボリューム
６０：水位計
６１：容器
６２，６４Ａ〜６４Ｄ，６５Ａ〜６５Ｄ：電極棒
６３Ａ〜６３Ｄ：容器
７０：交直変換回路
７２：スイッチ
７４：直流電源
７４Ａ：トランス
７４Ｂ：整流回路
７６：負荷
８０：信号遠隔伝達回路
８２：スイッチ
８４：制御対象
９０：電源回路
９２：交流電源
９４：サイリスタ回路
９４Ａ，９４Ｂ：サイリスタ
９６：負荷
９７：分流抵抗
９８：制御回路
９９：切換スイッチ
１００：電源回路
１０２：直流電源
１０４：トランジスタ
１０６：負荷
１０７：分流抵抗
１０８：制御回路
１０９：切換スイッチ
Ｔ１，Ｔ２：入力側端子
ＴＥ，ＴＦ：出力側端子
【図１】
0003198437.tif 000003
【図２】
0003198437.tif 000004
【図３】
0003198437.tif 000005
【図４】
0003198437.tif 000006
【図５】
0003198437.tif 000007
【図６】
0003198437.tif 000008
【図７】
0003198437.tif 000009